(57)【要約】【課題】  モノクロ式のインターフェースを持つ印刷装置でも所望のカラーイメージで印刷出力をできるようにした印刷制御装置およびカラー制御方法およびプログラムを提供する。【解決手段】  印刷要求された印刷データに含まれる書式識別子によって書式情報保存部１０３に保存された書式情報をデータ編集部１０２で読み出し、内部データ形式に変換して一時記憶領域１０４に記憶する。印刷制御部１０５で一時記憶領域１０４に記憶されたデータをコントロール部１０６の表示部１０８に表示し、入力部１０７でユーザからの操作を受け付けることで書式情報におけるカラー情報を変更を受け付ける。データ編集部１０２を介して出力処理部１０９で出力処理をして最適なプリンタでカラー印刷を行う。【選択図】図１
2006215726.tif 000002
【特許請求の範囲】
【請求項１】
印刷データとフォームデータを構成するオブジェクトの集まりである書式情報とを用いて印刷制御する印刷制御装置において、
前記書式情報を識別する書式識別子が付加された印刷データの印刷要求を受け付ける印刷要求受付手段と、
前記印刷要求受付手段により受け付けた前記印刷データを解析し、前記書式識別子を読み取る書式識別子読取手段と、
前記書式識別子読取手段で読み取った書式識別子に基づいて、予め保存された前記書式情報を読み込む書式情報読込手段と、
前記書式情報読込手段で読み込んだ前記書式情報と前記印刷データから該書式情報に対するカラー情報をリンクして内部データ形式に変換する形式変換手段と、
前記形式変換手段により変換された前記内部データ形式のカラーイメージデータをプレビューするプレビュー手段と、
前記プレビュー手段によりプレビューされたカラーイメージデータをユーザ操作により前記書式情報の前記オブジェクトごとにカラー情報を設定するカラー情報設定手段と、
前記カラー情報設定手段により設定された前記カラー情報を印刷データとリンクして印刷出力する印刷出力手段
を具備することを特徴とする印刷制御装置。
【請求項２】
前記カラー情報設定手段により設定された前記カラー情報を前記オブジェクトに対してリンクするカラー情報として保存するカラー情報保存手段と、
を更に具備し、
前記プレビュー手段は、
前記カラー情報保存手段により保存されたカラー情報に基づいてカラーイメージを表示する
ことを特徴とする請求項１記載の印刷制御装置。
【請求項３】
前記印刷出力手段は、
接続された印刷装置がカラー印刷機能を有しているか判別するカラー機能判別手段と、
前記カラー機能判別手段によりカラー出力が行えると判別された場合には、前記カラー情報を用いてカラーイメージを作成する
ことを特徴とする請求項１記載の印刷制御装置。
【請求項４】
印刷データとフォームデータを構成するオブジェクトの集まりである書式情報とを用いた印刷制御におけるカラー制御を行うカラー制御方法において、
前記書式情報を識別する書式識別子が付加された印刷データの印刷要求を印刷要求受付手段で受け付け、
前記印刷要求受付手段により受け付けた前記印刷データを解析し、前記書式識別子を書式識別子読取手段で読み取り、
前記書式識別子読取手段で読み取った書式識別子に基づいて、予め保存された前記書式情報を書式情報読込手段で読み込み、
前記書式情報読込手段で読み込んだ前記書式情報と前記印刷データから該書式情報に対するカラー情報をリンクして内部データ形式に形式変換手段で変換し、
前記形式変換手段により変換された前記内部データ形式のカラーイメージデータをプレビュー手段でプレビューし、
前記プレビュー手段によりプレビューされたカラーイメージをユーザ操作により前記書式情報の前記オブジェクトごとにカラー情報を設定する
ことを特徴とするカラー制御方法。
【請求項５】
印刷データとフォームデータを構成するオブジェクトの集まりである書式情報とを用いた印刷制御におけるカラー制御をコンピュータにより実行させるカラー制御プログラムであって、
前記書式情報を識別する書式識別子が付加された印刷データの印刷要求を受け付ける第１のステップと、
前記第１のステップにより受け付けた前記印刷データを解析し、前記書式識別子を読み取る第２のステップと、
前記第２のステップで読み取った書式識別子に基づいて、予め保存された前記書式情報を読み込む第３のステップと、
前記第３のステップで読み込んだ前記書式情報と前記印刷データから該書式情報に対するカラー情報をリンクして内部データ形式に変換する第４のステップと、
前記第４のステップにより変換された前記内部データ形式のカラーイメージデータをプレビューする第５のステップと、
前記第５のステップによりプレビューされたカラーイメージをユーザ操作により前記書式情報の前記オブジェクトごとにカラー情報を設定する第６のステップと
を含むことを特徴とするカラー制御プログラム。
【発明の詳細な説明】
【技術分野】
【０００１】
本発明は、印刷データとフォームデータである書式情報とを個別に保持して印刷制御する印刷制御装置およびカラー制御方法およびプログラムに関し、特に、所望のカラーイメージでカラー印刷を行えるようにした印刷制御装置およびカラー制御方法およびプログラムに関する。
【背景技術】
【０００２】
一般に、企業経営の根底となる営業や生産、物流、人事などの統合的な管理を行う基幹業務などでは、業務内容に応じたさまざまな帳票（フォームデータ）が存在し、該帳票に基づいて印刷データを作成している。また、基幹業務などの印刷出力には、多くの場合、白黒２値のモノクロ式印刷方式が採用されており、カラー印刷を行う場合には、モノクロ式の印刷方式が採用された印刷装置のインターフェースをそのまま利用することによって実現している。
【０００３】
このためカラー印刷された印刷文書がユーザの出力イメージと異なっている場合があり、これらを修正することによって所望の印刷イメージを作成することができないという問題がある。
【０００４】
モノクロ式のインターフェースを持つ印刷装置においても多色印刷を可能にした従来技術として特許文献１に開示されている。
【０００５】
この特許文献１に開示された従来技術は、色情報として登録されたオーバレイパターンを色別に展開するオーバレイ展開用メモリと印刷データを展開するイメージメモリとを持ち、ドットごとにオーバレイパターンと印刷データとを比較して比較結果に対する色選択信号を出力することで、色選択信号に対する印刷機構を選択して印刷出力することで可能にしている。
【特許文献１】特開平０８−０３９８８７
【発明の開示】
【発明が解決しようとする課題】
【０００６】
しかしながら、カラーイメージは、ある部分の色と他の部分の色との相対的な関係によってその印刷文書全体の印象が決まるものであり、また、所望するイメージを表現するには、色相のほかトーンをも選択しなければならない。このため、所望のカラーイメージで印刷出力するには、印刷出力された出力結果を確認し、修正を加えることで所望の印刷イメージを実現することができる。
【０００７】
特許文献１に示された従来技術においては、ユーザがリアルタイムで所望のカラーイメージを実現することができない。カラーイメージを実現する場合には、オーバレイ展開用メモリに保存されたオーバレイパターンを更新しなければならず、ユーザの手間や時間がかかり、操作性、生産性に満足することができないという問題がある。
【０００８】
そこで、本発明は、モノクロ式のインターフェースを持つ印刷装置でも所望のカラーイメージで印刷出力をできるようにした印刷制御装置およびカラー制御方法およびプログラムを提供することを目的とする。
【課題を解決するための手段】
【０００９】
上記目的を達成するため、請求項１の発明は、印刷データとフォームデータを構成するオブジェクトの集まりである書式情報とを用いて印刷制御する印刷制御装置において、前記書式情報を識別する書式識別子が付加された印刷データの印刷要求を受け付ける印刷要求受付手段と、前記印刷要求受付手段により受け付けた前記印刷データを解析し、前記書式識別子を読み取る書式識別子読取手段と、前記書式識別子読取手段で読み取った書式識別子に基づいて、予め保存された前記書式情報を読み込む書式情報読込手段と、前記書式情報読込手段で読み込んだ前記書式情報と前記印刷データから該書式情報に対するカラー情報をリンクして内部データ形式に変換する形式変換手段と、前記形式変換手段により変換された前記内部データ形式のカラーイメージデータをプレビューするプレビュー手段と、前記プレビュー手段によりプレビューされたカラーイメージデータをユーザ操作により前記書式情報の前記オブジェクトごとにカラー情報を設定するカラー情報設定手段と、前記カラー情報設定手段により設定された前記カラー情報を印刷データとリンクして印刷出力する印刷出力手段を具備することを特徴とする。
【００１０】
また、請求項２の発明は、請求項１の発明において、前記カラー情報設定手段により設定された前記カラー情報を前記オブジェクトに対してリンクするカラー情報として保存するカラー情報保存手段と、を更に具備し、前記プレビュー手段は、前記カラー情報保存手段により保存されたカラー情報に基づいてカラーイメージを表示することを特徴とする。
【００１１】
また、請求項３の発明は、請求項１の発明において、前記印刷出力手段は、接続された印刷装置がカラー印刷機能を有しているか判別するカラー機能判別手段と、前記カラー機能判別手段によりカラー出力が行えると判別された場合には、前記カラー情報を用いてカラーイメージを作成することを特徴とする。
【００１２】
また、請求項４の発明は、印刷データとフォームデータを構成するオブジェクトの集まりである書式情報とを用いた印刷制御におけるカラー制御を行うカラー制御方法において、前記書式情報を識別する書式識別子が付加された印刷データの印刷要求を印刷要求受付手段で受け付け、前記印刷要求受付手段により受け付けた前記印刷データを解析し、前記書式識別子を書式識別子読取手段で読み取り、前記書式識別子読取手段で読み取った書式識別子に基づいて、予め保存された前記書式情報を書式情報読込手段で読み込み、前記書式情報読込手段で読み込んだ前記書式情報と前記印刷データから該書式情報に対するカラー情報をリンクして内部データ形式に形式変換手段で変換し、前記形式変換手段により変換された前記内部データ形式のカラーイメージデータをプレビュー手段でプレビューし、前記プレビュー手段によりプレビューされたカラーイメージをユーザ操作により前記書式情報の前記オブジェクトごとにカラー情報を設定することを特徴とする。
【００１３】
また、請求項５の発明は、印刷データとフォームデータを構成するオブジェクトの集まりである書式情報とを用いた印刷制御におけるカラー制御をコンピュータにより実行させるカラー制御プログラムであって、前記書式情報を識別する書式識別子が付加された印刷データの印刷要求を受け付ける第１のステップと、前記第１のステップにより受け付けた前記印刷データを解析し、前記書式識別子を読み取る第２のステップと、前記第２のステップで読み取った書式識別子に基づいて、予め保存された前記書式情報を読み込む第３のステップと、前記第３のステップで読み込んだ前記書式情報と前記印刷データから該書式情報に対するカラー情報をリンクして内部データ形式に変換する第４のステップと、前記第４のステップにより変換された前記内部データ形式のカラーイメージデータをプレビューする第５のステップと、前記第５のステップによりプレビューされたカラーイメージをユーザ操作により前記書式情報の前記オブジェクトごとにカラー情報を設定する第６のステップとを含むことを特徴とする。
【発明の効果】
【００１４】
本発明によれば、印刷データのフォームデータとして設定された書式情報にカラー情報をリンクし、該カラー情報が配色された印刷データをプレビューしてユーザ操作によりカラー情報の変更を行えるように構成したので、出力結果を確認しながら所望のカラー設定を行うことができるようになるほか、カラーテンプレートを用いて印刷データのカラー変換を行う機能を有さないプリンタでもカラー印刷が可能となり、機能性に優れ、高い汎用性を持つようになるという効果を奏する。
【００１５】
また、カラー情報を付加した書式情報を使用する事で異なる環境でも同様のカラー情報を付加した印刷結果を得る事が出来る。
【発明を実施するための最良の形態】
【００１６】
以下、本発明に係わる印刷制御装置およびカラー制御方法およびプログラムの一実施例を添付図面を参照して詳細に説明する。
【実施例】
【００１７】
図１は、本発明に係わる印刷制御装置およびカラー制御方法およびプログラムを適用して構成したシステム構成図である。
【００１８】
図１において、このシステムは、プリントサーバ１０、上位装置２０、プリンタ３０−１、３０−２、３０−３を具備して構成され、印刷データとフォームデータである書式情報とから印刷出力を行う。
【００１９】
上位装置２０は、搭載されたアプリケーションを用いて印刷出力を行う印刷データを生成し、生成した印刷データを印刷機能を用いて印刷サーバに印刷要求する。このとき、印刷データを作成する際に用いた書式情報を識別する書式識別子を印刷データに付与して印刷要求する。
【００２０】
プリンタ３０−１，３０−２，３０−３は、上位装置２０により選択され、プリントサーバ１０で印刷制御された印刷データを書式情報にしたがって出力する。このとき、プリンタは１台ないしは複数台のプリンタによって構成されており、本図では３台のプリンタを例にしている。各プリンタは、それぞれ保持している機能が異なり、例えば、プリンタ３０−１ではカラー印刷機能を搭載しているが、プリンタ３０−２，３０−３ではカラー印刷機能は搭載されておらず、モノクロ印刷機能を搭載している。
【００２１】
プリントサーバ１０は、カラー印刷の制御を行い、上位装置インターフェース１０１、データ編集部１０２、書式情報保存部１０３、一時記憶領域１０４、印刷制御部１０５、コントロール部１０６、入力部１０７、表示部１０８、出力処理部１０９、プリンタドライバ１１０を具備して構成されている。
【００２２】
上位装置インターフェース１０１は、上位装置２０からの印刷要求された印刷データを受け付ける。受け付ける印刷データは、書式情報に対して入力、作成されたデータそのものを示している。
【００２３】
また、作成される印刷データには、対応する書式情報を一意に指定することができる書式識別子が含まれている。
【００２４】
データ編集部１０２は、上位装置インターフェース１０１で受け付けた印刷データとその印刷データに含まれる書式識別子が示す書式情報を書式情報保存部１０３から検索して読み出すことによって、データ編集を行う。このときの書式情報とは、一般的に様式（フォーム）にデータを入力する帳票を示し、書式情報によって印刷形式が決められており、その書式情報の一例として図６に示す。なお、図６に示すように書式情報には、カラー情報を追加することも可能である。
【００２５】
受け付けた印刷データと該印刷データで指定された書式情報とから印刷出力を行う中間ファイル形式である内部データ形式に変換し、一時記憶領域１０４に保存する。また、オペレータによりカラー情報の編集が指定された場合に印刷制御部１０５に対して内部データ形式の印刷プレビュー指示を送出する。
【００２６】
そして、印刷制御部１０５により印刷制御が行われ、印刷制御完了を示す通知が送られてくると、一時記憶領域１０４から印刷制御が完了した印刷データを取得して出力処理部１０９に送出する。
【００２７】
書式情報保存部１０３は、複数の書式情報を保存、管理する。書式情報には、オブジェクトごとに設定可能なカラー情報を含んで保存することが可能である。
【００２８】
また、書式情報はファイル形式であり、他の装置に移動して使用することができる。
【００２９】
一時記憶領域１０４は、データ編集部１０２で編集した内部データ形式のデータを一時的に保存する。保存されたデータは、印刷制御部１０５から取得される。また、印刷制御部１０５で印刷制御が行われると、書式情報と共に印刷データを再度、一時記憶する。
【００３０】
印刷制御部１０５は、データ編集部１０２からの印刷プレビュー指示を受け付けると、一時記憶領域１０３に記憶された内部データ形式の印刷データを取得して印刷プレビュー処理を行う。
【００３１】
また、印刷制御の処理機能としてカラー情報編集機能を保持し、書式情報保存部１０３で保存された書式情報に対してユーザからの操作により書式情報のオブジェクトごとにカラーの設定を行う。例えば、書式情報として構成されるオブジェクトに網掛けが含まれてオーバレイする場合には、ユーザ操作により、この網掛けの色合いを「赤」に設定し、オーバレイする色合いを「青」とリンク設定する。
【００３２】
そして、作成されたカラー情報が含まれた書式情報をデータ編集部１０２を介して書式情報保存部１０３に保存する。
【００３３】
それに対して、印刷プレビューを行った内部形式の印刷データは、カラー情報が含まれた書式情報と共に一時記憶領域に記憶する。コントロール部１０６を用いてユーザによるカラー情報の設定が行われ、印刷制御が終了したことをデータ編集部１０２に対して印刷制御完了通知として送出する。
【００３４】
コントロール部１０６は、内部データ形式に変換された印刷データの書式情報にカラー情報を設定する操作パネルを示し、入力部１０７、表示部１０８を具備して構成される。
【００３５】
印刷制御部１０５により印刷制御された印刷データを印刷プレビュー機能によって表示部１０８に表示し、表示された印刷データをもとにユーザが入力部１０７から書式情報に対してカラー情報を設定する。
【００３６】
出力処理部１０９は、ウィンドウズ（登録商標）のＧＤＩ（Graphic Device Interface）やＧＤＩ＋、Avalonなど画面描画のためのユーザインターフェースによって構成され、印刷制御された内部データ形式の印刷データをデータ編集部１０２から受信すると、内部データ形式の情報を解析する。書式情報にカラー情報が含まれるか判断し、カラー情報が含まれる書式情報で作成された印刷データの場合には、接続されたプリンタがカラー印刷に対応しているか確認し、対応している場合には、印刷データと書式情報とを併合して出力データを作成する。
【００３７】
書式情報がモノクロで作成されている場合、または、書式情報にカラー情報が含まれているがカラー印刷に対応したプリンタが接続されていない場合には、モノクロプリンタでの出力データを作成する。
【００３８】
このときのカラー印刷に対応したプリンタが接続されているかの判断には、プリンタドライバ１１０を参照し、カラー印刷に対応したプリンタドライバであるか判断する。
【００３９】
プリンタドライバ１１０は、接続されたプリンタ３０−１，３０−２，３０−３に対するプリンタドライバが格納されている。各プリンタドライバ１１０には、プリントサーバ１０とプリンタ３０−１，３０−２，３０−３を接続するデータのほか、プリンタがカラー印刷に対応しているかの情報をも保持する。
【００４０】
このような構成によれば、印刷データと書式情報とを個別に持ち、印刷出力を行う印刷システムおよび印刷装置で印刷データを画面で確認しながら書式情報にカラー情報の設定を行って印刷出力することができるようになる。
【００４１】
図２は、本発明の印刷制御装置における印刷制御の流れを示すフローチャートである。
【００４２】
図２において、上位装置から印刷要求を受け付けると処理が開始され、印刷要求された印刷データのカラー情報の編集指示がされているか判断し（Ｓ２０１）、カラー情報の編集指示が行われている場合（Ｓ２０１でＹＥＳ）には、カラー情報の付加処理を行う（Ｓ２０２）。このときのカラー情報付加処理の詳細フローチャートを図３に示す。
【００４３】
カラー情報の付加処理が行われた場合、または、カラー印刷の指示が行われていない場合（Ｓ２０１でＮＯ）には、次に、接続されたプリンタのうち少なくとも１台がカラー印刷に対応しているか判断し（Ｓ２０３）、一台もカラー印刷に対応していない場合（Ｓ２０３でＮＯ）には、印刷要求された印刷データにおけるモノクロの印刷データを作成する（Ｓ２０４）。作成したモノクロの印刷データを当該モノクロにのみ対応したプリンタのいずれかに送出し、モノクロで印刷出力を行う（Ｓ２０５）。
【００４４】
それに対して、カラー印刷に対応したプリンタが少なくとも１台接続されている場合（Ｓ２０３でＹＥＳ）には、続いて、印刷データの書式情報にカラー情報が付与されているか判断する（Ｓ２０６）。カラー情報が付与されていない場合（Ｓ２０６でＮＯ）には、モノクロデータを作成し（Ｓ２０７）、カラープリンタのモノクロ印刷機能を用いて印刷出力する（Ｓ２０９）。もちろん、モノクロプリンタを用いてもよい。
【００４５】
カラープリンタが接続されており、かつ、カラー情報が付与されている場合（Ｓ２０６でＹＥＳ）には、カラー情報に基づいてカラーデータを作成し（Ｓ２０８）、カラープリンタのカラー印刷機能を用いて印刷出力する（Ｓ２０９）。
【００４６】
図３は、本発明の印刷制御装置におけるカラー制御の流れを示すフローチャートである。
【００４７】
図３において、カラー情報の編集指示が行われると処理が開始され、初期設定としてカラー情報がデフォルト設定されているか判断し（Ｓ３０１）、カラー情報が設定されている場合（Ｓ３０１でＹＥＳ）には、書式情報からカラー情報の項目を読み込む（Ｓ３０２）。そして、印刷要求された印刷データを印刷プレビュー表示し（Ｓ３０３）、表示された印刷プレビューを用いてカラー情報を付加する操作を行う（Ｓ３０４）。
【００４８】
例えば、ユーザ操作により図４に示したような印刷プレビューの画面から図５に示すようなカラー情報編集ダイアログを表示し、設定後、ＯＫボタンを押下することによって書式情報のオブジェクトごとにカラー情報の設定を行うことができる。
【００４９】
このような操作により、カラー情報が実行されたか判断し（Ｓ３０５）、図５に示すようなカラー情報編集ダイアログのＯＫボタンを押下するなどによりカラー情報の設定が行われたと判断した場合（Ｓ３０５でＹＥＳ）には、設定されたカラー情報を図６に示すような書式情報に更新し（Ｓ３０６）、再度、設定されたカラー情報に基づいて印刷プレビューを表示する（Ｓ３０３）。また、カラー設定が行われない場合（Ｓ３０５でＮＯ）には、カラー制御の処理を終了する。
【００５０】
以上、図２、図３に示すフローチャートにより、カラーイメージを確認しながらカラー情報を設定することができるようになる。
【００５１】
図４は、印刷プレビューを示す図である。
【００５２】
図４には、印刷データをプレビュー表示した図であり、ファイルボタン４０１、カラー情報追加ボタン４０２、閉じるボタン４０３を具備して構成されている。
【００５３】
カラー情報追加ボタン４０２を押下すると、図５に示すカラー情報編集ダイアログが開かれる。閉じるボタン４０３を押下することにより、印刷プレビューを閉じることができる。
【００５４】
ファイルボタン４０１は、印刷プレビューの表示状態を変更できる項目から構成されている。
【００５５】
ここに示すプレビューは、図５に示すようなカラー情報編集ダイアログでユーザ操作によって変更したカラー情報を更新して表示することができる。カラー情報追加ボタン４０２を押下すると、カラー情報編集ダイアログが表示され、カラー情報を変更した項目が更新されて表示される。
【００５６】
これにより、ユーザは変更したカラー情報をリアルタイムに確認することができ、所望のカラーイメージで印刷出力することができるようになる。
【００５７】
図５は、カラー情報を変更するカラー情報編集ダイアログを示す図である。
【００５８】
図５には、カラー情報を変更できる書式情報を構成するオブジェクト、またはその位置関係としてオーバレイ項目５０１、網掛け項目５０２、イメージ項目５０３を具備して構成される。
【００５９】
図４に示す印刷プレビューのカラー情報追加ボタン４０２を押下すると表示されるダイアログであり、カラー情報の変更、更新を行うことができる。カラー情報を変更してＯＫボタン５０４を押下すると、カラー情報が更新されて、図４に示す印刷プレビューに戻る。また、キャンセルボタン５０５を押下することにより、変更内容は更新されず、図４に示す印刷プレビューに戻る。
【００６０】
これにより、書式情報のオブジェクトに対してカラー情報を変更することができる。
【００６１】
図６は、書式情報の詳細な内容を示す図である。
【００６２】
図６には、フォームデータであるフォーム情報６０１、カラー情報６０２とから構成されており、フォーム情報は、印刷データを印刷出力する様式（フォーム）を設定した値が記載されており、カラー情報６０２は、図５で変更可能なオブジェクトのカラー情報が記載されている。
【００６３】
フォーム情報６０１は、カラー情報オフセット値６０３を含んで構成され、カラー情報オフセット値６０３は、カラー情報が設定された場合にオフセット値が設定される。カラー情報を含まない書式情報の場合には、カラー情報オフセット値６０３は、「ＮＵＬＬ」である。
【００６４】
これにより、印刷データと書式情報を関連付けることによって、書式に基づく印刷データの出力を行うことができるようになる。
【００６５】
以上の処理によって、本発明の印刷制御装置では、書式情報にカラー情報を設定し、保存することができるようになる。
【００６６】
これによって、印刷要求を行った印刷データとカラー情報が設定された書式情報とからカラー印刷が可能となる。
【００６７】
従って、本発明を適用することにより、カラーテンプレートを用いたプリンタ内部でのカラー変換処理を行う必要がなくなるため、ユーザがカラーイメージを確認しながら所望のカラー情報を書式情報に設定することができるようなる。
【００６８】
また、印刷制御装置でカラー情報を設定するため、さまざまなカラープリンタを用いてカラー印刷が可能となり、高い汎用性を実現することができるという効果もある。
【００６９】
なお、上記フローチャートに示す処理は、コンピュータにより実行可能なカラー制御プログラムによっても実現できる。
【００７０】
本発明は、上記し、且つ図面に示す実施例に限定することなく、その要旨を変更しない範囲内で適宜変形して実施できるものである。
【００７１】
例えば、上記実施例では、印刷制御装置に書式情報を保持してカラー情報を設定するような構成になっているが、プリンタの記憶領域にカラー情報が設定された書式情報を保持させるような構成にし、ユーザ操作により改めてカラー設定しなくともモノクロの印刷データをカラー化して印刷出力するように構成してもよい。
【産業上の利用可能性】
【００７２】
本発明は、印刷データと帳票データとを個別に保持し、モノクロ式のインターフェースを持つ印刷装置でもユーザが所望するカラーイメージでカラー印刷を行えるようにした印刷制御装置およびカラー制御方法およびプログラムに適用可能であり、特に、所望するカラーイメージをリアルタイムに変更して確認しながら所望の印刷出力を行うのに有用である。
【図面の簡単な説明】
【００７３】
【図１】本発明に係わる印刷制御装置およびカラー制御方法およびプログラムを適用して構成したシステム構成図。
【図２】本発明の印刷制御装置における印刷制御の流れを示すフローチャート。
【図３】本発明の印刷制御装置におけるカラー制御の流れを示すフローチャート。
【図４】印刷プレビューを示す図。
【図５】カラー情報を設定するカラー情報編集ダイアログを示す図。
【図６】本発明における書式情報の一例を示す図。
【符号の説明】
【００７４】
１０        プリントサーバ
２０        上位装置
３０−１，３０−２，３０−３        プリンタ
１０１      上位装置インターフェース
１０２      データ編集部
１０３      書式情報保存部
１０４      一時記憶領域
１０５      印刷制御部
１０６      コントロール部
１０７      入力部
１０８      表示部
１０９      出力処理部
１１０−１，１１０−２，１１０−３  プリンタドライバ
【図１】
2006215726.tif 000003
【図２】
2006215726.tif 000004
【図３】
2006215726.tif 000005
【図４】
2006215726.tif 000006
【図５】
2006215726.tif 000007
【図６】
2006215726.tif 000008